(57)【特許請求の範囲】
【請求項１】
一端の吸込み側に浴槽内に位置する給水部が固着され、その途中に浴水を循環させるための循環ポンプと微細なごみ及び汚れなる不純物を浴水から濾過する浄化フィルタと浴水を殺菌する殺菌装置とが夫々接続されて、他端に排出口として前記浴槽内に位置する噴出部が設けられている循環管路と、該循環管路から分岐した入力側貯留湯配管に接続されて浴水を貯水すると共に出力側貯留湯配管と前記循環管路が連結されて、貯水した浴水を加熱するための蓄熱タンクを備え、
深夜電力の使用時間帯の電力を蓄電するための蓄電装置と、前記蓄熱タンクの浴水を深夜電力で加熱するための加熱ヒーターと、深夜電力の時間帯以外の時間帯に前記蓄電装置で循環管路に設けられて浴水を加熱する補助加熱ヒーターと、前記循環管路と前記蓄熱タンクとの間に設けられて、該蓄熱タンクの浴水を適正温度に混合するための混合手段と、循環系装置の運転及び制御は、深夜電力の使用時間帯には深夜電力にて行ない、それ以外の時間帯には、前記蓄電装置に蓄電した電力にて行うようにそれぞれに切替制御するための電源切替手段を備えてなることを特徴とする浴水浄化循環装置。
【請求項２】
一端の吸込み側に浴槽内に位置する給水部が固着され、その途中に浴水を循環させるための循環ポンプと微細なごみ及び汚れなる不純物を浴水から濾過する浄化フィルタと浴水を殺菌する殺菌装置とが夫々接続されて、他端に排出口として前記浴槽内に位置する噴出部が設けられている循環管路と、水を貯水して加熱するための蓄熱タンク内に配管されて前記循環管路に接続される加熱配管を備え、
深夜電力の使用時間帯の電力を蓄電するための蓄電装置と、前記蓄熱タンク内に配管した加熱配管部内の浴水を加熱するために前記蓄熱タンク内の水を深夜電力で加熱するための加熱ヒーターと、深夜電力の時間帯以外の時間帯に前記蓄電装置で循環管路に設けられて浴水を加熱する補助加熱ヒーターと、前記加熱配管部内の浴水を循環管路の浴水に適正な温度に混合するための混合手段と、循環系装置の運転及び制御は、深夜電力の使用時間帯には深夜電力にて行ない、それ以外の時間帯には、前記蓄電装置に蓄電した電力にて行うようにそれぞれに切替制御するための電源切替手段を備えてなることを特徴とする浴水浄化循環装置。
【請求項３】
一端の吸込み側に浴槽内に位置する給水部が固着され、その途中に浴水を循環させるための循環ポンプと微細なごみ及び汚れなる不純物を浴水から濾過する浄化フィルタと浴水を殺菌する殺菌装置とが夫々接続されて、他端に排出口として前記浴槽内に位置する噴出部が設けられている循環管路と、蓄熱剤を配置した蓄熱タンク内に配管されて前記循環管路に接続される加熱配管を備え、
深夜電力の使用時間帯の電力を蓄電するための蓄電装置と、前記蓄熱タンク内に配管した加熱配管部内の浴水を加熱するために前記蓄熱タンク内の蓄熱剤を深夜電力で加熱するための加熱ヒーターと、深夜電力の時間帯以外の時間帯に前記蓄電装置で循環管路に設けられて浴水を加熱する補助加熱ヒーターと、蓄熱タンクに配管した加熱配管部内の浴水を循環管路の浴水に適正な温度に混合するための混合手段と、循環系装置の運転及び制御は、深夜電力の使用時間帯には深夜電力にて行ない、それ以外の時間帯には、前記蓄電装置に蓄電した電力にて行うようにそれぞれに切替制御するための電源切替手段を備えてなることを特徴とする浴水浄化循環装置。
【請求項４】
請求項１又は請求項２又は請求項３において、深夜電力の使用時間帯に停電となった場合には、すみやかに蓄電装置の電源に切り替わるための停電用切替手段とを備えてなることを特徴とする浴水浄化循環装置。
【発明の詳細な説明】
【０００１】
【発明の属する技術分野】
本発明は、深夜電力を有効に利用することができ、さらには電力の非常時にも良好に対応することができる浴水浄化循環装置に関する。
【０００２】
【従来の技術】
従来の２４時間風呂となる浴水浄化循環装置は、２４時間連続運転するため、加熱ヒーター（電気）による加熱のための電力料金としての経費がかかっていた。一方、深夜電力を使用するとその経費は、通常の３分の１程度になり、極めて有効となる。しかしながら、その深夜電力使用に対しては、使用時間帯に制限があり、午後１１時から午前７時までとなっている。一般に、深夜電力を使用するためのタイプは２種類存在し、その一つは、通常時の基本料金設定を割安とし、２３時より７時までは深夜割引料金となり、それ以外は基本料金の３０％割り増し料金に時間帯でそれぞれを切り換えるタイプである。これは夜間のみ使用するタイプに適している。また、他の１つは、深夜電力の時間帯別契約により、２３時より７時までは深夜電力料金とし、それ以外は通常の電気料金としてなるタイプであり、昼間中心の生活では適している。
【０００３】
【発明が解決しようとする課題】
その従来の浴水浄化循環装置では、２４時間連続して運転させなければならないため、安い電力の供給が必要とされている。しかるに、その安い電力を使用する時間帯に著しい制限があり、夜２３時から朝の７時までの深夜電力のみが安い電力として現在供給されている。このため、より安い深夜電力を有効に使用できる浴水浄化循環装置の開発が求められている。
【０００４】
また、停電が発生した場合には、浴水浄化循環装置本体への電力が停止されてしまうため、時間がたつと浴水が冷えて入浴ができなかったり、沸かし直しや再給湯するなど手間がかかる欠点があった。２４時間風呂となる浴水浄化循環装置ゆえに、これを回避することも要望されている。
【０００５】
【課題を解決するための手段】
そこで発明者は、前記課題を解決すべく、鋭意，研究を重ねた結果、その発明を、一端の吸込み側に浴槽内に位置する給水部が固着され、その途中に浴水を循環させるための循環ポンプと微細なごみ及び汚れなる不純物を浴水から濾過する浄化フィルタと浴水を殺菌する殺菌装置とが夫々接続されて、他端に排出口として前記浴槽内に位置する噴出部が設けられている循環管路と、該循環管路から分岐した入力側貯留湯配管に接続されて浴水を貯水すると共に出力側貯留湯配管と前記循環管路が連結されて、貯水した浴水を加熱するための蓄熱タンクを備え、深夜電力の使用時間帯の電力を蓄電するための蓄電装置と、前記蓄熱タンクの浴水を深夜電力で加熱するための加熱ヒーターと、深夜電力の時間帯以外の時間帯に前記蓄電装置で循環管路に設けられて浴水を加熱する補助加熱ヒーターと、前記循環管路と前記蓄熱タンクとの間に設けられて、該蓄熱タンクの浴水を適正温度に混合するための混合手段と、循環系装置の運転及び制御は、深夜電力の使用時間帯には深夜電力にて行ない、それ以外の時間帯には、前記蓄電装置に蓄電した電力にて行うようにそれぞれに切替制御するための電源切替手段を備えてなることを特徴とする浴水浄化循環装置としたことにより、深夜電力を有効に利用することができ、さらには電力の非常時にも良好に対応することができ、前記の課題を解決したものである。
【０００６】
【発明の実施の形態】
以下、本発明の第１実施の形態について図１乃至図３に基づいて説明すると、図１に示すように、浴水浄化循環装置は、主に、浴水を循環させるための循環ポンプ１と、微細なごみ及び汚れなる不純物を浴水から濾過する浄化フィルタ２と、浴水を殺菌する殺菌装置３とから構成されている。
【０００７】
前記浄化フィルタ２は、種類としては、精密浄化フィルタ又は普通浄化フィルタであり、活性石，活性炭を充填したものとして吸着剤濾材浄化フィルタ材として使用したり、或いは、織布又は不織布からなり浄化フィルタ素材から構成するものもある。何れにしても、微細なごみ及び汚れなる不純物を除去するものである。
【０００８】
前記殺菌装置３としては、オゾン発生器，オゾン水注入手段，紫外線殺菌手段等が存在している。そのオゾン発生器は、オゾナイザー部と、オゾンを混入するオゾン混入部とから構成されている。また、オゾン水注入手段は、オゾン水発生部と、これから殺菌管路にオゾン水を注入し溜めるタンク部とから構成されている。紫外線殺菌手段は、ケース内部に紫外線ランプが設けられ、該紫外線ランプの照射を受けながら浴水が通過するように構成されている。
【０００９】
循環管路４は、その一端の吸込み側は、浴槽５内に位置する給水部６が固着され、その途中は、前記循環ポンプ１，浄化フィルタ２，殺菌装置３が接続され、その他端は、排出口として前記浴槽５内に位置し、且つジェット噴流が出るように噴出部７が必要に応じて設けられている。
【００１０】
８は蓄熱タンクであって、水を蓄熱媒体とした電気温水器が使用される。具体的には、水を蓄熱媒体とした蓄熱タンク８では、タンク８ａと、該タンク８ａ内に設けた電力利用のヒーターなる加熱ヒーター１０とから構成され、この中には、タンク８ａの下側から、水道等の水源から適宜給水可能に構成され、上側から前記出力側貯留湯配管１１から給湯されるものである。このような電気温水器の原理としては、対流方式（自然対流，強制対流）や、熱交換器方式等があり、湯の中に水が入ってもその混合層（分離層）から上側が湯としてなり十分に温水器として使用できる。また、加熱配管部８ｂも設けられ、所望の設定温度にて制御されるようになっている。また、蓄熱タンク８の入力側は、前記循環管路４から分岐した入力側貯留湯配管１２に接続されている。
【００１１】
前記出力側貯留湯配管１１と循環管路４とは連結され、ここに第２混合手段１４ｂが設けられている。また、入力側貯留湯配管１２の途中には、第１電磁弁Ｖ１が設けられ、前記第２混合手段１４ｂよりも内側（中心側）の位置の循環管路４と、前記出力側貯留湯配管１２との間には、バイパス管路１３が設けられ、該バイパス管路１３と出力側貯留湯配管１１とは第１混合手段１４ａを介して連結されている。前記バイパス管路１３を循環管路４に連結した位置よりも吐水部７側には、第２電磁弁Ｖ２が設けられている。さらに、該第２電磁弁Ｖ２と前記第２混合手段１４との間に、補助加熱ヒーター１６が設けられている。その第１電磁弁Ｖ１と第２電磁弁Ｖ２とを総称して電磁弁Ｖと称する。また、第１混合手段１４ａと第２混合手段１４ｂとを総称して混合手段１４と称する。
【００１２】
適宜の所望の設定温度範囲内（約４０乃至４２℃）では、第１電磁弁Ｖ１は開となり、浴水は浴槽湯浄化装置及び循環管路４及び入力側貯留湯配管１２，蓄熱タンク８，出力側貯留湯配管１１を通過して、前記混合手段１４を介して好適な温度の浴水が浴槽５に流れる。
【００１３】
前記循環管路４の給水部６寄りには、中央演算処理装置２０に接続された温度計測手段２１（温度センサ）が設けられ、その浴水浄化循環装置の内の浴水の温度に応じて、弁制御手段２２の動作により、前記電磁弁Ｖが適宜切り換えられ、所定の温度に制御可能に構成されている。また、設定温度記憶手段２３には予め所望温度が記憶されている。この設定温度は適宜変更可能にＲＡＭとして構成されている。また、計測した温度と設定温度とを比較する温度比較手段２４も中央演算処理装置２０に設けられている。
【００１４】
前記深夜電力使用に対しては、使用時間帯に制限があり、前述したように、午後１１時から午前７時までとなっており、第１タイプ〔図７（Ａ）参照〕では、通常時の基本料金設定は割安とし、２３時より７時までは深夜割引料金となり、それ以外は基本料金の３０％割り増し料金に時間帯でそれぞれを切り換えるタイプであり、第２タイプ〔図７（Ｂ）参照〕では、深夜電力の時間帯別契約により、２３時より７時までは深夜電力料金とし、それ以外は通常の電気料金としてなるタイプである。本発明では、第１タイプ，第２タイプの何れのタイプでも適用できる。
【００１５】
蓄電装置１５は、深夜電力の使用時間帯の電力を蓄電するためのバッテリとしての装置である。電源切替手段２５は、深夜電力の使用時間帯には深夜電力にて行ない、それ以外の時間帯には、前記蓄電装置１５に蓄電した電力にて行うようにそれぞれに切替制御するための手段であり、制御部Ａを構成する中央演算処理装置２０に接続されている。補助加熱ヒーター１６は、前記循環管路４に設けたシーズヒータ等であり、深夜電力の時間帯以外の時間帯に前記蓄電装置１５で浴水循環系装置の浴水を加熱する。前記補助加熱ヒーター１６は補助加熱ヒーター制御手段２７にて制御可能に設けられている。
【００１６】
また、蓄熱タンク８内の適宜の高さ位置に蓄熱湯の容量計測手段２６（容量センサ）が設けられ、蓄熱湯の容量が少なくなって〔例えば、寒冷地等の冬季に蓄熱タンク８内の湯を多く使用した場合等〕、その蓄熱湯での浴水を加熱することができなくなるため、前記弁制御手段２２の動作し、該動作により、前記第２電磁弁Ｖ２が開となり、これと同時に、補助加熱ヒーター制御手段２７にて前記補助加熱ヒーター１６が動作して、循環管路４を通過する浴水を加熱して温度が制御され、これによって、循環管路４内の浴水が所定温度の範囲内になるように温度計測手段２１にて計測し、計測した温度と記憶された設定温度とを比較して所望温度に制御する。所定温度となった場合には、補助加熱ヒーター制御手段２７にて前記補助加熱ヒーター１６が動作が停止するように構成されている。
【００１７】
前記殺菌装置３にも、殺菌装置制御手段２８が設けられて制御可能に構成されている。２９は循環ポンプ制御手段であり、該循環ポンプ制御手段２９にて前記循環ポンプ１の回転速度が適宜制御可能に構成されている。
【００１８】
３０は夜間電力としての商用電源、３１は整流手段であり、交流源を低電圧（例えば、約２４Ｖ）の直流に変換するものである。また、前記電源切替手段２５の切替えにて、商用電源３０又は蓄電装置１５の電源が制御部Ａに使用可能に構成されている。その商用電源３０が使用されるのは、夜間電力の使用可能時間で、それ以外の時間には使用されないようにタイマー手段３２にて制御されている。また、商用電源３０に切換えられたときには、該商用電源３０にて循環ポンプ１，殺菌装置３（これらを循環系装置という）を運転可能に構成され、同時に商用電源３０にて前記蓄電装置１５に充電されるように構成されている。
【００１９】
循環系装置は、通常１００Ｖの電源を整流器としての整流手段３１により、２４Ｖに変換させ、蓄電装置１５の２４Ｖと同一とし、循環系装置の共通化を図ることができる。３３は浴水浄化循環装置の始動／停止スイッチ、３４は表示装置であり、装置前面に、液晶による表示部３５が設けられ、これにはスイッチキー３６が設けられ、装置の制御可能に構成されている。
【００２０】
次に、本発明の第１実施の形態の動作を図３のフローチャートにて説明すると、浴水浄化循環装置の始動／停止スイッチ３３の電源をＯＮする（Ｓ１参照）。すると、タイマー手段３２により深夜電力の時間帯かそれ以外の時間帯かを判断し（Ｓ２参照）、深夜電力の時間帯の場合には、浴水浄化循環装置を商用電源３０（深夜電力）で運転する（Ｓ３参照）。同時に、蓄電装置１５に通電して充電する（Ｓ４参照）。充電が終了した場合には、その充電は終了し、充電が終了しない場合には充電を続ける。
【００２１】
次に、深夜電力の時間帯以外か否かを判断し（Ｓ５参照）、深夜電力の時間帯以外の場合には、電源切替手段２５にて蓄電装置１５の電源に切り替えられ（Ｓ６参照）、蓄電装置１５の電源にて循環系装置が運転され、同時に、第１電磁弁Ｖ１は開となり、浴水は浴槽湯浄化装置及び循環管路４及び入力側貯留湯配管１２，蓄熱タンク８，出力側貯留湯配管１１を通過して、前記混合手段１４を介して好適な温度の浴水が浴槽５に流れ、浴水混合加熱が行なわれる（Ｓ７参照）、また、蓄熱タンク８内の容量が不足か否かを、前記容量計測手段２６にて判断し（Ｓ８参照）、不足している場合には、蓄熱タンク８内の加熱は得られないことから、補助加熱としての補助加熱ヒーター１６の加熱が必要か否かを判断し（Ｓ９参照）、加熱に必要な場合には、補助加熱ヒーター制御手段２７の制御ちて補助加熱ヒーター１６の加熱を開始する（Ｓ１０参照）。そして、そのときの浴水温度が適正温度か否かを判断する（Ｓ１１参照）。具体的には、浴水温度を温度計測手段２１にて計測した温度と、設定温度記憶手段２３に記憶された温度とを温度比較手段２４にて比較し、これが記憶された所定温度以内の場合には適正温度として、この場合に、前記補助加熱する補助加熱ヒーター１６の動作を停止する。このようにして、装置の運転を終了するか否かを判断し（Ｓ１２参照）、終了したい場合には終了する。
【００２２】
次に、第２実施の形態について、図４及び５について説明する。この第２実施の形態の特徴としては、図４に示すように、蓄熱タンク８は水にて加熱するものであり、その内部には、螺旋状等の加熱配管部８ｂが螺旋状等に設けられている。この場合、出力側は、前記出力側貯留湯配管１１に接続され、入力側は、前記循環管路４から分岐した入力側貯留湯配管１２に接続されている。他の構成は第１実施の形態の同一であり、説明を省略する。また、第２実施の形態の動作も、図５のフローチャートに示すように、第１実施の形態と略同一であるが、異なる点としては、蓄熱タンク８内の貯留湯は、浴水と混合しないため、Ｓ７０で、浴水循環加熱が行われるのみである。
【００２３】
また、第３実施の形態について、図６について説明する。この第２実施の形態の特徴としては、同図に示すように、蓄熱タンク８内に、第２実施の形態の水に替えて、蓄熱剤９が使用される。該蓄熱剤９としては、５０〜９０℃に融解潜熱を持つ材質としては、無機系，有機系があり、無機系蓄熱材としては、ＮａＣＨ3 ＣＯＯ・３Ｈ2 Ｏ、ＮａＯＨ・１０Ｈ2 Ｏ、Ａｌ（ＮＯ3 ）2 ・９Ｈ2 Ｏ、Ｂａ（ＯＨ）2 ・８Ｈ2 Ｏ、Ｍｇ（ＮＯ3 ）2 ・６Ｈ2 Ｏ、ＫＡｌ（ＳＯ4 ）2 ・１２Ｈ2 Ｏ、ＮＨ4 Ａｌ（ＳＯ4 ）2 ・１２Ｈ2 Ｏ等があり、また、有機系蓄熱材としては、ポリエチレングリコール（分子量５０００〜９０００程度のもの）、パルミチン酸やステアリン酸等の脂肪酸類等がある。また、蓄熱剤９は球形等のケース内に充填され、貯留湯内に充填されることもある。蓄熱タンク８が同一容積ならば水単独よりも蓄熱材９を併用した方が多くのエネルギーを蓄えることができる。この第３実施の形態の動作は、第２実施の形態の動作（図５参照）と同一であり、説明を省略する。
【００２４】
次に、本発明の第４実施の形態について図７及び図８に基づいて説明すると、その主要なる構成は、第１乃至第３の実施の形態と同一であり、この説明は省略する。その第４実施の形態の特徴としては、前記商用電源３０回路には、通電検知手段３７が設けられている。該通電検知手段３７の存在にて、夜間電力の停電時には、通電検知手段３７が動作すると停電用切替手段３８により蓄電装置１５の電源がＯＮするように構成されている。
【００２５】
第４実施の形態の動作を図８のフローチャートにて説明すると、Ｓ１乃至Ｓ３にいては、第１実施の形態の動作のフローチャートと同一であり、その後、深夜電力の時間帯において、通電が停止したか否かを判断し（Ｓ４１参照）、停電ではない場合は、深夜電力にて、そのまま循環系装置を運転する。また、深夜電力の時間帯において、停電の場合には、直ぐに停電用切替手段３８により蓄電装置１５側に切り替えられ、該蓄電装置１５に蓄電された電源にて、循環系装置を運転する。その停電ではない場合の作用については前述の第１実施の形態の作用と同一である。また、第２又は第３の実施の形態の動作についても、図８と略同様である。
【００２６】
また、深夜電力の時間帯以外の時間の場合は、Ｓ２ステップから直ぐに、電源切替手段２５により蓄電装置１５側に切り替えられる。また、該蓄電装置１５に充電が完了している場合には直ぐに充電は終了となる。
【００２７】
【発明の効果】
請求項１に係る発明においては、特に、深夜電力の時間帯では、その電源を、深夜電力の時間帯以外の時間では、充電した蓄電装置１５の電源を使用することとなり、極めて経済的にできる。通常時には、蓄熱タンク８内の貯留湯で浴水を加熱することとなるが、その蓄熱タンク８内の貯留湯が少なくなって浴水加熱できなくなるような冬季又は寒冷地では、その循環管路４内の補助加熱ヒーター１６を前記蓄電装置１５で作動させて浴水加熱でき、いつでも好適なる浴水浄化循環装置を提供できる。また、その補助加熱ヒーター１６にて直接に加熱でき、これでも急速加熱が可能である。
【００２８】
請求項１乃至４の発明では、このように、通常の電力は一切使用せず、常時、深夜電力又は蓄電装置１５の電源にて、循環系装置及び補助加熱ヒーター１６の制御および運転ができ、基となる電力を全て安価な深夜電力にて補える最大の利点がある。
【図面の簡単な説明】
【図１】本発明の外観図
【図２】本発明の第１実施の形態のブロック図
【図３】本発明の第１実施の形態のフローチャート
【図４】本発明の第２実施の形態のブロック図
【図５】本発明の第２実施の形態のフローチャート
【図６】本発明の第３実施の形態のブロック図
【図７】本発明の第４実施の形態のブロック図
【図８】本発明の第４実施の形態のフローチャート
【図９】（Ａ）は第１タイプの電力系統ブロック図
（Ｂ）は第２タイプの電力系統ブロック図
【符号の説明】
１…循環ポンプ
２…浄化フィルタ
３…殺菌装置
８…蓄熱タンク
８ｂ…加熱配管部
１４…混合手段
１０…加熱ヒーター
１５…蓄電装置
１６…補助加熱ヒーター
２５…電源切替手段
３８…停電用切替手段
【図１】
0003739457.tif 000002
【図２】
0003739457.tif 000003
【図３】
0003739457.tif 000004
【図４】
0003739457.tif 000005
【図５】
0003739457.tif 000006
【図６】
0003739457.tif 000007
【図７】
0003739457.tif 000008
【図８】
0003739457.tif 000009
【図９】
0003739457.tif 000010